(57)【要約】【課題】部品点数の増加を抑制しつつ、コネクタの端子と相手方端子との接触安定性、およびコネクタ内におけるコネクタの端子とバスバーとの接触安定性を向上できるコネクタを提供する。【解決手段】コネクタ１は、コネクタ本体２と、第一支持部５１と、第一接触部５２ｔを有する第一本体部５２とを有する第一端子５と、第二支持部６１と、第二接触部６２ｔを有し、第一本体部との間に相手方端子１０１を挟み込む第二本体部６２とを有する第二端子６と、バスバー８と、第一支持部および第二支持部をバスバーに向けて押さえるコイル部７ａと、第一アーム部７ｂと、第二アーム部７ｃと、を有するねじりバネ７と、を含み、第一アーム部の第一先端部７１ｂは、第二本体部側とは反対側から第一接触部を第二本体部に向けて付勢し、第二アーム部７ｃの第二先端部７２ｂは、第一本体部側とは反対側から第二接触部を第一本体部に向けて付勢することを特徴とする。【選択図】図３
2019212550.tif 000002
【特許請求の範囲】
【請求項１】
壁部および前記壁部から突出した軸部を有するコネクタ本体と、
前記軸部が挿通された第一挿通部を有する第一支持部と、前記第一支持部に立設され、相手方端子との接触部である第一接触部を有する第一本体部とを有し、前記軸部周りに回動自在である第一端子と、
前記軸部が挿通された第二挿通部を有する第二支持部と、前記第二支持部に立設され、前記相手方端子との接触部である第二接触部を有し、前記第一本体部との間に前記相手方端子を挟み込む第二本体部とを有し、前記軸部周りに回動自在である第二端子と、
前記第一支持部および前記第二支持部と前記壁部との間に設けられ、前記第一支持部および前記第二支持部と電気的に接続されたバスバーと、
前記軸部が挿通された状態で前記第一本体部と前記第二本体部との間に配置され、前記第一支持部および前記第二支持部を前記バスバーに向けて押さえるコイル部と、前記コイル部における前記壁部側の端部から半径方向の外側に向けて突出した第一アーム部と、前記コイル部における前記壁部側とは逆側の端部から前記半径方向の外側に向けて突出した第二アーム部と、を有するねじりバネと、
を備え、
前記第一アーム部の先端部である第一先端部は、前記壁部側とは逆側に向けて曲がっており、前記第一接触部に沿って延在し、前記第二本体部側とは反対側から前記第一接触部を前記第二本体部に向けて付勢し、
前記第二アーム部の先端部である第二先端部は、前記壁部側に向けて曲がっており、前記第二接触部に沿って延在し、前記第一本体部側とは反対側から前記第二接触部を前記第一本体部に向けて付勢する
ことを特徴とするコネクタ。
【請求項２】
前記第一接触部および前記第二接触部は、前記第一本体部および前記第二本体部の回動方向において対向しており、
前記第一先端部および前記第二先端部は、前記軸部の突出方向から見て、前記第一接触部から前記第二接触部に向かう方向において並んで配置されている
請求項１に記載のコネクタ。
【請求項３】
前記第一接触部から前記第二接触部に向かう方向から見て、前記第一先端部の少なくとも一部分は、前記第二先端部の少なくとも一部分と重なる
請求項１または２に記載のコネクタ。
【請求項４】
前記第一先端部は、前記軸部の突出方向に沿って直線的に延在する第一部分を有し、
前記第二先端部は、前記軸部の突出方向に沿って直線的に延在する第二部分を有し、
前記軸部の突出方向において、前記第一部分の末端部は、前記第二部分の基端部と同じ位置または、前記第二部分の基端部よりも前記壁部から遠い位置に位置する
請求項１から３の何れか１つに記載のコネクタ。
【請求項５】
前記第一先端部は、前記軸部の突出方向に沿って直線的に延在する第一部分を有し、
前記第二先端部は、前記軸部の突出方向に沿って直線的に延在する第二部分を有し、
前記軸部の突出方向において、前記第二部分の末端部は、前記第一部分の基端部と同じ位置または、前記第一部分の基端部よりも前記壁部から近い位置に位置する
請求項１から４の何れか１つに記載のコネクタ。
【請求項６】
前記第一先端部は、前記第一接触部に対して線接触し、
前記第二先端部は、前記第二接触部に対して線接触する
請求項１から５の何れか１つに記載のコネクタ。
【請求項７】
前記第一本体部は、前記第一アーム部が前記第一本体部と前記第二本体部との間から外側へ通される第一切欠き部を有する
請求項１から６の何れか１つに記載のコネクタ。
【請求項８】
前記第二本体部は、前記第二アーム部が前記第一本体部と前記第二本体部との間から外側へ通される第二切欠き部を有する
請求項１から７の何れか１つに記載のコネクタ。
【発明の詳細な説明】
【技術分野】
【０００１】
本発明は、コネクタに関する。
【背景技術】
【０００２】
従来、相手方コネクタの端子を挟み込む一対の端子を有するコネクタがある。例えば、特許文献１には、ハウジングと、ハウジングに配列されて固定され且つそれぞれ互いに絶縁された２つのコンタクトからなる複数のコンタクト対と、複数のコンタクト対に対応し且つそれぞれハウジングに固定されることなく対応するコンタクト対に保持された複数の弾性補助部材とを備え、コンタクト対を構成する２つのコンタクトは、それぞれ相手側コネクタの対応するコンタクトに接触する接触部を有し且つ相手側コネクタとの嵌合方向に延びる弾性接触片からなると共に互いに接触部が対向するように配置され、弾性補助部材は、対応するコンタクト対を構成する２つのコンタクトを互いに対向する接触部の外側から挟み込むと共に２つのコンタクトに絶縁性を保ちながら接触するコネクタの技術が開示されている。特許文献１のコネクタによると、相手側コネクタの複数のコンタクトが配列バラツキを有していても信頼性の高い接続を行うことが可能となる、とされている。
【先行技術文献】
【特許文献】
【０００３】
【特許文献１】特開２０１６−１９７５７３号公報
【発明の概要】
【発明が解決しようとする課題】
【０００４】
ところで、コネクタにおいて、部品点数の増加を抑制しつつ、コネクタの端子と相手方端子との接触安定性、およびコネクタ内におけるコネクタの端子とバスバーとの接触安定性を向上できることが望まれている。
【０００５】
本発明の目的は、部品点数の増加を抑制しつつ、コネクタの端子と相手方端子との接触安定性、およびコネクタ内におけるコネクタの端子とバスバーとの接触安定性を向上できるコネクタを提供することである。
【課題を解決するための手段】
【０００６】
本発明のコネクタは、壁部および壁部から突出した軸部を有するコネクタ本体と、軸部が挿通された第一挿通部を有する第一支持部と、第一支持部に立設され、相手方端子との接触部である第一接触部を有する第一本体部とを有し、軸部周りに回動自在である第一端子と、軸部が挿通された第二挿通部を有する第二支持部と、第二支持部に立設され、相手方端子との接触部である第二接触部を有し、第一本体部との間に相手方端子を挟み込む第二本体部とを有し、軸部周りに回動自在である第二端子と、第一支持部および第二支持部と壁部との間に設けられ、第一支持部および第二支持部と電気的に接続されたバスバーと、軸部が挿通された状態で第一本体部と第二本体部との間に配置され、第一支持部および第二支持部をバスバーに向けて押さえるコイル部と、コイル部における壁部側の端部から半径方向の外側に向けて突出した第一アーム部と、コイル部における壁部側とは逆側の端部から半径方向の外側に向けて突出した第二アーム部と、を有するねじりバネと、を含み、第一アーム部の先端部である第一先端部は、壁部側とは逆側に向けて曲がっており、第一接触部に沿って延在し、第二本体部側とは反対側から第一接触部を第二本体部に向けて付勢し、第二アーム部の先端部である第二先端部は、壁部側に向けて曲がっており、第二接触部に沿って延在し、第一本体部側とは反対側から第二接触部を第一本体部に向けて付勢することを特徴とする。
【発明の効果】
【０００７】
本発明に係るコネクタは、第一支持部および第二支持部をバスバーに向けて押さえるコイル部と、第一アーム部と、第二アーム部とを有するねじりバネを含む。第一アーム部の先端部である第一先端部は、壁部側とは逆側に向けて曲がっており、第一接触部に沿って延在し、第二本体部側とは反対側から第一接触部を第二本体部に向けて付勢する。第二アーム部の先端部である第二先端部は、壁部側に向けて曲がっており、第二接触部に沿って延在し、第一本体部側とは反対側から第二接触部を第一本体部に向けて付勢する。本発明に係るコネクタによれば、部品点数の増加を抑制しつつ、コネクタの端子と相手方端子との接触安定性、およびコネクタ内におけるコネクタの端子とバスバーとの接触安定性を向上できるという効果を奏する。
【図面の簡単な説明】
【０００８】
【図１】図１は、実施形態に係るコネクタを示す斜視図である。
【図２】図２は、相手方コネクタの一例を示す斜視図である。
【図３】図３は、実施形態に係るコネクタの内部を示す平面図である。
【図４】図４は、実施形態に係るコネクタの分解斜視図である。
【図５】図５は、実施形態のねじりバネを示す斜視図である。
【図６】図６は、実施形態に係るコネクタの内部を示す側面図である。
【図７】図７は、実施形態に係るコネクタの内部を示す側面図である。
【図８】図８は、実施形態のケースの斜視図である。
【図９】図９は、実施形態に係るコネクタにおけるねじりバネとケースとの関係を示す斜視図である。
【図１０】図１０は、実施形態に係るコネクタと相手方コネクタとの接続状態を示す内部平面図である。
【発明を実施するための形態】
【０００９】
以下に、本発明の実施形態に係るコネクタにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１０】
［実施形態］
図１から図１０を参照して、実施形態について説明する。実施形態は、コネクタに関する。図１は、実施形態に係るコネクタを示す斜視図である。図２は、相手方コネクタの一例を示す斜視図である。図３は、実施形態に係るコネクタの内部を示す平面図である。図４は、実施形態に係るコネクタの分解斜視図である。図５は、実施形態のねじりバネを示す斜視図である。図６は、実施形態に係るコネクタの内部を示す側面図である。図７は、実施形態に係るコネクタの内部を示す側面図である。図８は、実施形態のケースの斜視図である。図９は、実施形態に係るコネクタにおけるねじりバネとケースとの関係を示す斜視図である。図１０は、実施形態に係るコネクタと相手方コネクタとの接続状態を示す内部平面図である。
【００１１】
図１に示すコネクタ１は、メス型コネクタである。コネクタ１は、図２に示す相手方コネクタ１００と接続される。コネクタ１および相手方コネクタ１００は、例えば、車両のバックドアにおける給電用接続装置として用いられる。一例として、本実施形態のコネクタ１は車両側に配置され、相手方コネクタ１００はバックドアに配置される。バックドアの開閉動作によって、コネクタ１に対して相手方コネクタ１００のタブ１０１（相手方端子）が挿抜される。コネクタ１にタブ１０１が挿入されると、コネクタ１の後述する端子（第一端子５および第二端子６）とタブ１０１とが電気的に接続される。なお、コネクタ１および相手方コネクタ１００は、車両の着脱可能なシートに対する給電用接続装置として用いられてもよい。
【００１２】
コネクタ１は、図１に示すように、コネクタ本体２、ケース３、およびハウジング４を有する。コネクタ１は、更に、後述する第一端子５、第二端子６、およびねじりバネ７を含む。コネクタ本体２は、第一端子５、第二端子６、およびねじりバネ７等を収容する筐体である。ケース３は、コネクタ本体２の開口部を覆って閉空間を形成するカバーである。ハウジング４は、コネクタ本体２から突出するバスバー８を囲むと共に、電源側のコネクタと嵌合する嵌合部として機能する。
【００１３】
コネクタ本体２は、相手方コネクタ１００のタブ１０１が挿入される開口部２２を有する。コネクタ本体２は、側方に向けて突出する一対の固定部２１ａ，２１ｂを有する。固定部２１ａ，２１ｂは、車体等に対して固定される部分である。固定部２１ａ，２１ｂは、前後方向に対して直交する方向に向けて突出している。なお、コネクタ１に関して、相手方コネクタ１００が挿抜される方向を「前後方向」と称し、固定部２１ａ，２１ｂの突出する方向を「横方向」と称する。また、コネクタ１に関して、前後方向および横方向のそれぞれと直交する方向を「縦方向」と称する。固定部２１ａは、横方向の一方側に向けて突出し、固定部２１ｂは、横方向の他方側に向けて突出している。開口部２２は、コネクタ本体２における前後方向の一方側の壁部（以下、「前側壁部」と称する。）２ａに形成されている。以下の説明では、コネクタ１に関して、前後方向のうち相手方コネクタ１００と接続される側を「前側」と称し、前側と反対側を「後側」と称する。
【００１４】
前側壁部２ａには、三つの開口部２２が横方向に並んで配置されている。コネクタ本体２内には、一つの開口部２２に対応して一対の端子（第一端子５および第二端子６）が配置される。図３に示すように、コネクタ本体２は、前側壁部２ａに加えて、底壁部２ｂ、後側壁部２ｃ、および一対の側壁部２ｄ，２ｅを有する。各壁部２ａ，２ｂ，２ｃ，２ｄ，２ｅは合成樹脂によって一体成形されている。底壁部２ｂは、矩形の板状の構成部である。前側壁部２ａは、底壁部２ｂの前端から縦方向に向けて突出している。後側壁部２ｃは、底壁部２ｂの後端近傍の部分から縦方向に向けて突出している。後側壁部２ｃには、ハウジング４に対応する切欠き部２ｆが設けられている。コネクタ本体２において、底壁部２ｂと対向する部分は、開口部となっている。ハウジング４は、切欠き部２ｆから後側に向けて突出した状態でコネクタ本体２に対して固定される。
【００１５】
第一側壁部２ｄおよび第二側壁部２ｅは、底壁部２ｂの横方向端部から縦方向に向けて突出している。より具体的には、第一側壁部２ｄは、底壁部２ｂにおける横方向の一端から縦方向に向けて突出し、第二側壁部２ｅは、底壁部２ｂにおける横方向の他端から縦方向に向けて突出している。側壁部２ｄ，２ｅは、底壁部２ｂを間に挟んで横方向において対向している。また、壁部２ａ，２ｃ，２ｄ，２ｅは、底壁部２ｂと共に第一端子５および第二端子６等を収容する収容空間を形成する。コネクタ本体２は、底壁部２ｂから縦方向に向けて突出する軸部２３を有する。軸部２３は、円柱形状の構成部であり、底壁部２ｂと直交している。軸部２３は、底壁部２ｂにおける前後方向の中央部に配置されている。実施形態のコネクタ本体２には、横方向に沿って三本の軸部２３が配置されている。
【００１６】
隣接する軸部２３の間には、それぞれ仕切り壁部２４が配置されている。仕切り壁部２４は、底壁部２ｂと一体に形成されており、かつ底壁部２ｂから縦方向に向けて突出している平板状の壁部である。仕切り壁部２４は、一対の端子（第一端子５および第二端子６）と、他の一対の端子（第一端子５および第二端子６）とを仕切る。コネクタ本体２には、一対の側壁部２ｄ，２ｅおよび一対の仕切り壁部２４によって、端子収容部２５が形成されている。各端子収容部２５には、それぞれ一対の端子（第一端子５および第二端子６）が配置される。コネクタ本体２は、三つの端子収容部２５を有している。各端子収容部２５には、それぞれ一対の端子（第一端子５および第二端子６）が収容される。三対の端子（第一端子５および第二端子６）のうち、一対はグランド線と接続され、他の二対は電源と接続される。
【００１７】
第一端子５および第二端子６は、相手方コネクタ１００のタブ１０１と電気的に接続される端子である。図４に示すように、第一端子５は、第一支持部５１および第一本体部５２を有する。第一支持部５１は、軸部２３が挿通される第一挿通部５１ａを有する。第一本体部５２は、第一支持部５１に立設されている。第一支持部５１および第一本体部５２は、導電性を有する金属等によって形成されている。第一端子５は、軸部２３周りに回動自在に支持されている。第一端子５は、例えば、一枚の金属板からプレス等によって加工して形成される。第一本体部５２は、板厚方向の一方側に向けて凸となるように屈曲した第一屈曲部５２ａ、および板厚方向の他方側に向けて凸となるように屈曲した第二屈曲部５２ｂを有する。第一本体部５２において、第一屈曲部５２ａは前端側に設けられており、第二屈曲部５２ｂは後端側に設けられている。第一本体部５２は、タブ１０１との接触部である第一接触部５２ｔを有している。実施形態において第一接触部５２ｔは、第一屈曲部５２ａのうち、横方向において、タブ１０１における第一屈曲部５２ａと接触する面と重なる部分である（図１０参照）。第一支持部５１は、第一本体部５２の後端部分に繋がっている。第一本体部５２の前端には、カバー９（図３参照）が装着される。カバー９は、合成樹脂等で形成された絶縁性の部材である。
【００１８】
第二端子６は、第二支持部６１および第二本体部６２を有する。第二支持部６１は、軸部２３が挿通される第二挿通部６１ａを有する。第二本体部６２は、第二支持部６１に立設されている。第二本体部６２は、略Ｓ字状に屈曲した板状の形状を有している。第二支持部６１および第二本体部６２は、導電性を有する金属等によって形成されている。第二端子６は、軸部２３周りに回動自在に支持されている。第二端子６は、例えば、一枚の金属板からプレス等によって加工して形成される。第二本体部６２は、板厚方向の一方側に向けて凸となるように屈曲した第一屈曲部６２ａ、および板厚方向の他方側に向けて凸となるように屈曲した第二屈曲部６２ｂを有する。第二本体部６２において、第一屈曲部６２ａは前端側に設けられており、第二屈曲部６２ｂは後端側に設けられている。第二本体部６２は、タブ１０１との接触部である第二接触部６２ｔを有している。実施形態において第二接触部６２ｔは、第一屈曲部６２ａのうち、横方向において、タブ１０１における第一屈曲部６２ａと接触する面と重なる部分である（図１０参照）。第二支持部６１は、第二本体部６２の後端部分に繋がっている。第二本体部６２の前端には、カバー９（図３参照）が装着される。
【００１９】
第二端子６の形状は、実質的に第一端子５の形状と面対称である。より具体的に説明すると、図３に示すように、端子収容部２５に配置された状態において、平面視における第一端子５の第一本体部５２の形状はＳ字形状である。一方、端子収容部２５に配置された状態において、平面視における第二端子６の第二本体部６２の形状は逆Ｓ字形状である。また、第一端子５の第一支持部５１が第一本体部５２から横方向の一方側へ向けて折れ曲がっているのに対して、第二端子６の第二支持部６１は第二本体部６２から横方向の他方側へ向けて折れ曲がっている。
【００２０】
第一端子５および第二端子６は、第一屈曲部５２ａと第一屈曲部６２ａとが横方向において対向するように配置されている。第一端子５の第一屈曲部５２ａは、第二端子６側に向けて凸となっており、第二端子６の第一屈曲部６２ａは、第一端子５側に向けて凸となっている。第一本体部５２および第二本体部６２は、第一屈曲部５２ａにおける第一接触部５２ｔと、第一屈曲部６２ａにおける第二接触部６２ｔの間に相手方コネクタ１００のタブ１０１を挟み込む。この構成によって第一端子５および第二端子６は、タブ１０１と電気的に接続される。
【００２１】
ねじりバネ７は、一対の端子５，６に対して、第一接触部５２ｔと第二接触部６２ｔとを互いに近づける向きの押圧力を作用させる。より具体的には、ねじりバネ７は、弾性を有する一本の線状部材で構成されており、コイル部７ａ、第一アーム部７ｂ、および第二アーム部７ｃを有する。
【００２２】
コイル部７ａは、螺旋状に巻かれた構成部である。図５に示すように、第一アーム部７ｂは、線状部材の端部であり、第一延在部７１ａおよび第一先端部７１ｂを有する。第一延在部７１ａは、コイル部７ａの一端７０ａから半径方向の外側に向けて突出して直線的に延在している部分である。第一先端部７１ｂは、第一アーム部７ｂの先端部である。コイル部７ａの軸方向において、第一先端部７１ｂは、コイル部７ａの他端７０ｂ側に向けて曲がっている。実施形態の第一先端部７１ｂは、コイル部７ａの軸方向に沿って直線的に延在する第一部分Ｐ１として設けられている。なお、第一先端部７１ｂは、第一部分Ｐ１の他に湾曲した部分を有していてもよい。
【００２３】
第二アーム部７ｃは、線状部材の端部であり、第二延在部７２ａおよび第二先端部７２ｂを有する。第二延在部７２ａは、コイル部７ａの他端７０ｂから半径方向の外側に向けて突出して直線的に延在している部分である。第二先端部７２ｂは、第二アーム部７ｃの先端部である。コイル部７ａの軸方向において、第二先端部７２ｂは、コイル部７ａの一端７０ａ側に向けて曲がっている。実施形態の第二先端部７２ｂは、コイル部７ａの軸方向に沿って直線的に延在する第二部分Ｐ２として設けられている。なお、第二先端部７２ｂは、第二部分Ｐ１の他に湾曲した部分を有していてもよい。ねじりバネ７は、例えば、外力が加えられない状態で第一延在部７１ａと第二延在部７２ａとが先端部側で鋭角をなすように構成される。実施形態において、第一アーム部７ｂと第二アーム部７ｃとは、コイル部７ａの軸方向からみて、互いに交差することなくコイル部７ａの半径方向の外側に向けて延在している。
【００２４】
実施形態の第一アーム部７ｂにおいては、第一延在部７１ａと第一先端部７１ｂとの間に第一湾曲部７１ｃが設けられている。第一湾曲部７１ｃは、第一延在部７１ａから第一先端部７１ｂにかけて湾曲している。第一湾曲部７１ｃは、第一部分Ｐ１の基端部７１ｄと接続されている。第一先端部７１ｂは、第一湾曲部７１ｃを介して第一延在部７１ａと接続されることにより、コイル部７ａの軸方向において、コイル部７ａの他端７０ｂ側に向けて曲がっている。
【００２５】
実施形態の第二アーム部７ｃにおいては、第二延在部７２ａと第二先端部７２ｂとの間に第二湾曲部７２ｃが設けられている。第二湾曲部７２ｃは、第二延在部７２ａから第二先端部７２ｂにかけて湾曲している。第二湾曲部７２ｃは、第二部分Ｐ２の基端部７２ｄと接続されている。第二先端部７２ｂは、第二湾曲部７２ｃを介して第二延在部７２ａと接続されることにより、コイル部７ａの軸方向において、コイル部７ａの一端７０ａ側に向けて曲がっている。
【００２６】
図３に示すように、ねじりバネ７のコイル部７ａには、軸部２３が挿通される。実施形態において、軸部２３の突出方向は、コイル部７ａの軸方向と一致する。コイル部７ａは、第一本体部５２と第二本体部６２との間に配置される。このとき、ねじりバネ７は、第一アーム部７ｂおよび第二アーム部７ｃが軸部２３から前側に向けて突出する姿勢で配置される。
【００２７】
図６に示すように、第一本体部５２は、第一切欠き部５２ｃを有する。第一切欠き部５２ｃは、第一本体部５２における底壁部２ｂ側の端部に形成されている。第一アーム部７ｂは、第一切欠き部５２ｃを介して第一本体部５２と第二本体部６２との間から外側へ通される。第一先端部７１ｂは、第二本体部６２側とは反対側から第一接触部５２ｔを第二本体部６２に向けて付勢する。第一先端部７１ｂは、第一接触部５２ｔに沿って延在している。第一先端部７１ｂは、第一接触部５２ｔに対して線接触している。
【００２８】
図７に示すように、第二本体部６２は、第二切欠き部６２ｃを有する。第二切欠き部６２ｃは、第二本体部６２における底壁部２ｂ側とは反対側の端部に形成されている。第二アーム部７ｃは、第二切欠き部６２ｃを介して第一本体部５２と第二本体部６２との間から外側へ通される。第二先端部７２ｂは、第一本体部５２側とは反対側から第二接触部６２ｔを第一本体部５２に向けて付勢する。第二先端部７２ｂは、第二接触部６２ｔに沿って延在している。第二先端部７２ｂは、第二接触部６２ｔに対して線接触している。
【００２９】
図３に示すように、第一接触部５２ｔおよび第二接触部６２ｔは、第一本体部５２および第二本体部６２の回動方向において対向している。第一先端部７１ｂおよび第二先端部７２ｂは、軸部２３の突出方向から見て、第一接触部５２ｔから第二接触部６２ｔに向かう方向において並んで配置されている。
【００３０】
図６に示すように、第一接触部５２ｔから第二接触部６２ｔ（図３参照）に向かう方向から見て、第一先端部７１ｂの少なくとも一部分は、第二先端部７２ｂの少なくとも一部分と重なる。実施形態において、第一接触部５２ｔから第二接触部６２ｔに向かう方向とは、前後方向と縦方向とに直交する方向（すなわち横方向）である。
【００３１】
後述するケース３によってコイル部７ａがバスバー８に向けて押さえられた状態（図９参照）であるとき、縦方向（軸部２３の突出方向）において、第一部分Ｐ１の末端部７１ｅは、第二部分Ｐ２の基端部７２ｄと同じ位置に位置することが好ましい。また、後述するケース３によってコイル部７ａがバスバー８に向けて押さえられた状態（図９参照）であるとき、縦方向において、第二部分Ｐ２の末端部７２ｅは、第一部分Ｐ１の基端部７１ｄと同じ位置に位置することが好ましい。
【００３２】
なお、末端部７１ｅは、第二部分Ｐ２の基端部７２ｄよりも壁部（底壁部２ｂ）から遠い位置に位置していてもよい。また、末端部７２ｅは、第一部分Ｐ１の基端部７１ｄよりも壁部（底壁部２ｂ）から近い位置に位置していてもよい。
【００３３】
ねじりバネ７は、第一接触部５２ｔと第二接触部６２ｔとを一対の先端部（第一先端部７１ｂおよび第二先端部７２ｂ）で挟み込んで、第一接触部５２ｔと第二接触部６２ｔとを接近させる回動方向の付勢力を発生する。
【００３４】
末端部７１ｅが縦方向における基端部７２ｄと末端部７２ｅとの間の範囲に位置する場合、縦方向における末端部７１ｅの位置は、基端部７２ｄに近いほど、第一先端部７１ｂの第一接触部６１ｔへの付勢力が安定する。
【００３５】
末端部７２ｅが縦方向における基端部７１ｄと末端部７１ｅとの間の範囲に位置する場合、縦方向における末端部７２ｅの位置は、基端部７１ｄに近いほど、第二先端部７２ｂの第二接触部６２ｔへの付勢力が安定する。
【００３６】
バスバー８は、導電性を有する接続部材である。バスバー８は、車両に搭載された電源等に第一端子５および第二端子６を電気的に接続する。バスバー８は、第一支持部５１および第二支持部６１と底壁部２ｂとの間に設けられる。実施形態においては、図４に示すように、バスバー８は、挿通部８ａを有している。第一端子５、第二端子６、およびバスバー８が端子収容部２５に配置される際には、図４に示すように、挿通部８ａ，第一挿通部５１ａ，第二挿通部６１ａの順序で軸部２３が挿通される。従って、バスバー８はコネクタ本体２の底壁部２ｂによって支持され、第一端子５はバスバー８によって支持され、第二端子６は第一端子５によって支持される。
【００３７】
バスバー８は、第一端子５の第一支持部５１を摺動可能に支持する突起８ｂ（図６、図７参照）を有する。突起８ｂの形状は、長円形状であり、第一支持部５１と線接触または点接触する。突起８ｂは、第一支持部５１との電気的な接点である。第二端子６は、第二支持部６１の下面に突起を有する。第二端子６の突起は、第一端子５の第一支持部５１によって摺動可能に支持される。第二端子６の突起は、第一支持部５１との電気的な接点である。ねじりバネ７は、挿通部８ａ、第一挿通部５１ａ，第二挿通部６１ａと共に軸部２３が挿通されて組み付けられる。
【００３８】
実施形態では、コイル部７ａは、ケース３によって押し込まれて組み付けられる。図８に示すように、ケース３には、押圧部３１が設けられている。押圧部３１は、ケース３におけるコネクタ本体２の底壁部２ｂと対向する面３ａから突出している。本実施形態の押圧部３１の形状は、先端が開放した円筒形状である。三本の押圧部３１が、横方向に並んで配置されている。それぞれの押圧部３１は、コネクタ本体２の軸部２３に対応する位置に設けられている。押圧部３１の内径の値は、軸部２３の外径の値よりもわずかに大きい。すなわち、押圧部３１は、その内部に軸部２３が挿入可能となっている。
【００３９】
図９に示すように、ケース３は、バスバー８に向けてコイル部７ａを押さえる。この構成によって、コイル部７ａは、軸部２３が挿通された状態で、第一支持部５１および第二支持部６１をバスバー８に向けて押さえる。
【００４０】
図２に戻り、相手方コネクタ１００は、タブ１０１と、筐体１０２とを有する。タブ１０１は、相手方コネクタ１００の端子であり、導電性の金属等によって形成されている。筐体１０２は、凹形状の嵌合部１０２ａを有する。タブ１０１は、嵌合部１０２ａの底部から突出している。嵌合部１０２ａは、本実施形態のコネクタ１の前端部と嵌合する。この嵌合により、相手方コネクタ１００のタブ１０１がコネクタ１の開口部２２に挿入される。
【００４１】
図１０には、相手方コネクタ１００と係合したコネクタ１の内部が示されている。図１０に示すように、一対の端子５，６は、ねじりバネ７の付勢力によって相手方コネクタ１００のタブ１０１を挟み込み、タブ１０１と電気的に接続される。より詳しくは、一対の端子５，６は、軸部２３周りに回動して、第一接触部５２ｔと第二接触部６２ｔとの間にタブ１０１を挟み込む。ねじりバネ７は、第一先端部７１ｂと第二先端部７２ｂによって、第一接触部５２ｔと第二接触部６２ｔとをタブ１０１に向けて押圧し、コネクタ１と相手方コネクタ１００との電気的な接続状態を維持させる。
【００４２】
以上説明したように、実施形態のコネクタ１は、壁部（底壁部２ｂ）および壁部（底壁部２ｂ）から突出した軸部２３を有するコネクタ本体２と、軸部２３が挿通された第一挿通部５１ａを有する第一支持部５１と、第一支持部５１に立設され、相手方端子（タブ１０１）との接触部である第一接触部５２ｔを有する第一本体部５２とを有し、軸部２３周りに回動自在である第一端子５と、軸部２３が挿通された第二挿通部６１ａを有する第二支持部６１と、第二支持部６１に立設され、相手方端子（タブ１０１）との接触部である第二接触部６２ｔを有し、第一本体部５２との間に相手方端子（タブ１０１）を挟み込む第二本体部６２とを有し、軸部２３周りに回動自在である第二端子６と、第一支持部５１および第二支持部６１と壁部（底壁部２ｂ）との間に設けられ、第一支持部５１および第二支持部６１と電気的に接続されたバスバー８と、軸部２３が挿通された状態で第一本体部５２と第二本体部６２との間に配置され、第一支持部５１および第二支持部６１をバスバー８に向けて押さえるコイル部７ａと、コイル部７ａにおける壁部（底壁部２ｂ）側の端部から半径方向の外側に向けて突出した第一アーム部７ｂと、コイル部７ａにおける壁部（底壁部２ｂ）側とは逆側の端部から半径方向の外側に向けて突出した第二アーム部７ｃと、を有するねじりバネ７と、を含み、第一アーム部７ｂの先端部である第一先端部７１ｂは、壁部（底壁部２ｂ）側とは逆側に向けて曲がっており、第一接触部５２ｔに沿って延在し、第二本体部６２側とは反対側から第一接触部５２ｔを第二本体部６２に向けて付勢し、第二アーム部７ｃの先端部である第二先端部７２ｂは、壁部（底壁部２ｂ）側に向けて曲がっており、第二接触部６２ｔに沿って延在し、第一本体部５２側とは反対側から第二接触部６２ｔを第一本体部５２に向けて付勢する。
【００４３】
第一先端部７１ｂおよび第二先端部７２ｂが、相手方端子との接触部（第一接触部５２ｔおよび第二接触部６２ｔ）を挟み込んで付勢することで、コネクタ１における相手方端子との接触安定性を向上できる。本実施形態のコネクタ１において、第一先端部７１ｂおよび第二先端部７２ｂは、第一接触部５２ｔと第二接触部６２ｔとが互いに接近する方向に付勢する。つまり、第一先端部７１ｂおよび第二先端部７２ｂが付勢する方向と、第一接触部５２ｔおよび第二接触部６２ｔが回動して相手方端子を挟み込む方向とが実質的に一致する。実施形態に係るコネクタ１においては、第一先端部７１ｂおよび第二先端部７２ｂによって相手方端子との接触部を直接的に付勢することで、コネクタ１における相手方端子との接触安定性を向上できるという効果を奏する。また、ねじりバネ７のコイル部７ａは、第一支持部５１および第二支持部６１をバスバー８に向けて押さえる。この構成によって、第一端子５および第二端子６とバスバーとの接触安定性が向上する。
【００４４】
つまり、実施形態のねじりバネ７は、一つの部材で、第一接触部５２ｔおよび第二接触部６２ｔと相手方端子との接触安定性、および第一端子５および第二端子６とバスバー８との接触安定性を向上させる。従って、部品点数の増加を抑制しつつ、コネクタ１の端子（第一端子５および第二端子６）と相手方端子（タブ１０１）との接触安定性、およびコネクタ１内における端子（第一端子５および第二端子６）とバスバー８との接触安定性を向上できるという効果を奏する。
【００４５】
実施形態に係るコネクタ１において、第一接触部５２ｔおよび第二接触部６２ｔは、第一本体部５２および第二本体部６２の回動方向において対向しており、第一先端部７１ｂおよび第二先端部７２ｂは、軸部２３の突出方向から見て、第一接触部５２ｔから第二接触部６２ｔに向かう方向において並んで配置されている。
【００４６】
第一接触部５２ｔおよび第二接触部６２ｔは、前後方向の相対位置が実質的に一致した状態で、相手方端子を挟み込む。この構成によって、コネクタ１における相手方端子との接触安定性を向上できる。また、第一先端部７１ｂおよび第二先端部７２ｂは、前後方向の相対位置が実質的に一致した状態で、第一接触部５２ｔおよび第二接触部６２ｔを挟み込むため、前後方向において、第一接触部５２ｔおよび第二接触部６２ｔを安定して付勢できる。従って、コネクタ１における相手方端子との接触安定性を向上できる。
【００４７】
実施形態に係るコネクタ１において、第一接触部５２ｔから第二接触部６２ｔに向かう方向から見て、第一先端部７１ｂの少なくとも一部分は、第二先端部７２ｂの少なくとも一部分と重なる。
【００４８】
実施形態に係るコネクタ１において、第一先端部７１ｂは、軸部２３の突出方向に沿って直線的に延在する第一部分Ｐ１を有し、第二先端部７２ｂは、軸部２３の突出方向に沿って直線的に延在する第二部分Ｐ２を有し、軸部２３の突出方向において、第一部分Ｐ１の末端部７１ｅは、第二部分Ｐ２の基端部７２ｄと同じ位置または、第二部分Ｐ２の基端部７２ｄよりも壁部（底壁部２ｂ）側から遠い位置に位置する。
【００４９】
実施形態に係るコネクタ１において、第一先端部７１ｂは、軸部２３の突出方向に沿って直線的に延在する第一部分Ｐ１を有し、第二先端部７２ｂは、軸部２３の突出方向に沿って直線的に延在する第二部分Ｐ２を有し、軸部２３の突出方向において、第二部分Ｐ２の末端部７２ｅは、第一部分Ｐ１の基端部７１ｄと同じ位置または、第一部分Ｐ１の基端部７１ｄよりも壁部（底壁部２ｂ）から近い位置に位置する。
【００５０】
この構成によって、第一接触部５２ｔおよび第二接触部６２ｔに対して、第一先端部７１ｂおよび第二先端部７２ｂの付勢力が安定して作用する。例えば、コネクタ１が振動したとしても、第一接触部５２ｔおよび第二接触部６２ｔは、縦方向（軸部２３の突出方向）に沿って延在する先端部（第一先端部７１ｂおよび第二先端部７２ｂ）によって挟まれているため、接触箇所のズレが抑制される。従って、コネクタ１における相手方端子との接触安定性を向上できる。
【００５１】
実施形態に係るコネクタ１において、第一先端部７１ｂは、第一接触部５２ｔに対して線接触し、第二先端部７２ｂは、第二接触部６２ｔに対して線接触する。
【００５２】
実施形態の構成においては、ねじりバネ７（第一先端部７１ｂおよび第二先端部７２ｂ）と本体部（第一接触部５２ｔおよび第二接触部６２ｔ）との接触面積を大きくすることができる。従って、実施形態に係るコネクタ１において、ねじりバネ７は、接触部（第一接触部５２ｔおよび第二接触部６２ｔ）に対して、安定して付勢力を作用させることができる。
【００５３】
実施形態に係るコネクタ１において、第一本体部５２は、第一アーム部７ｂが第一本体部５２と第二本体部６２との間から外側へ通される第一切欠き部５２ｃを有する。
【００５４】
実施形態に係るコネクタ１において、第二本体部６２は、第二アーム部７ｃが第一本体部５２と第二本体部６２との間から外側へ通される第二切欠き部６２ｃを有する。
【００５５】
本体部（第一本体部５２および第二本体部６２）に対して、アーム部（第一アーム部７ｂ、第二アーム部７ｃ）を単純に交差させる場合と比較して、縦方向（コイル部７ａの軸方向）におけるねじりバネ７の大きさを小さくすることができる。従って、コネクタ１を縦方向において小型化できる。
【００５６】
なお、上述の実施形態においては、縦方向（コイル部７ａの軸方向）から見て、第一アーム部７ｂと第二アーム部７ｃとが互いに交差することなく、コイル部７ａの半径方向の外側に向けて延在している構成について説明したが、この構成に限られるものではない。例えば、第一アーム部７ｂと第二アーム部７ｃとは、縦方向（コイル部７ａの軸方向）から見て交差していてもよい。この場合、第一先端部７１ｂが、第二接触部６２ｔを第一接触部５２ｔ側に付勢し、第二先端部７２ｂが、第一接触部５２ｔを第二接触部６２ｔ側に付勢する。また、第一切欠き部５２ｃは、第一本体部５２における底壁部２ｂ側とは反対側の端部に形成される。また、第二切欠き部６２ｃは、第二本体部６２における底壁部２ｂ側の端部に形成される。
【符号の説明】
【００５７】
１  コネクタ
２  コネクタ本体
２ａ  前側壁部
２ｂ  底壁部
２ｃ  後側壁部
２ｄ  第一側壁部
２ｅ  第二側壁部
２ｆ  切欠き部
３  ケース
４  ハウジング
５  第一端子
６  第二端子
７  ねじりバネ
７ａ  コイル部
７ｂ  第一アーム部
７ｃ  第二アーム部
８  バスバー
８ａ  挿通部
８ｂ  突起
９  カバー
２１ａ，２１ｂ  固定部
２２  開口部
２３  軸部
２４  仕切り壁部
２５  端子収容部
３１  押圧部
５１  第一支持部
５１ａ  第一挿通部
５２  第一本体部
５２ａ  第一屈曲部
５２ｂ  第二屈曲部
５２ｃ  第一切欠き部
５２ｔ  第一接触部
６１  第二支持部
６１ａ  第二挿通部
６２  第二本体部
６２ａ  第一屈曲部
６２ｂ  第二屈曲部
６２ｃ  第二切欠き部
６２ｔ  第二接触部
７１ａ  第一延在部
７１ｂ  第一先端部
７１ｃ  第一湾曲部
７２ａ  第二延在部
７２ｂ  第二先端部
７２ｃ  第二湾曲部
１００  相手方コネクタ
１０１  タブ（相手方端子）
１０２  筐体
【図１】
2019212550.tif 000003
【図２】
2019212550.tif 000004
【図３】
2019212550.tif 000005
【図４】
2019212550.tif 000006
【図５】
2019212550.tif 000007
【図６】
2019212550.tif 000008
【図７】
2019212550.tif 000009
【図８】
2019212550.tif 000010
【図９】
2019212550.tif 000011
【図１０】
2019212550.tif 000012